(57)【特許請求の範囲】
【請求項１】
身体のいずれかの部位に巻き付けるバンドに空気袋を配し、前記バンドを巻き付けた状態で前記空気袋に加圧エアを導入することで、加圧エアの力により身体組織に圧迫を加える空気袋付きバンドの締結機構であって、
前記バンドの長さ方向の一端側に、巻き径に応じて長さを調整するための調整ベルトを連設し、
その調整ベルトの先端部に、該調整ベルトの余長分をスプリングの力で巻き取ると共に該スプリングの力に抗した調整ベルトの引き出しを可能にする巻き取り装置を設け、
その巻き取り装置に、前記バンドの長さ方向の他端側に設けた被係止部に係合可能な係止部と、前記調整ベルトの引き出しを制止するロック機構とを設け、
更に、前記被係止部と係止部のいずれか一方を、他方に追従して前記調整ベルトの幅方向に平行な基準線に対して傾斜する方向に回動可能に設けたことを特徴とする空気袋付きバンドの締結機構。
【請求項２】
請求項１に記載の空気袋付きバンドの締結機構であって、
前記ロック機構は、前記被係止部に係止部を係合させた際にそれに連動して前記調整ベルトの引き出しを制止するものであることを特徴とする空気袋付きバンドの締結機構。
【請求項３】
請求項１または２に記載の空気袋付きバンドの締結機構であって、
前記被係止部として、前記バンドの幅方向に長い第１フックを固定的に設けると共に、前記係止部として、前記第１フックに係合可能で前記ベルトの幅方向に長い第２フックを前記巻き取り装置のケースに回動可能に設け、前記第２フックの回動中心を、該第２フックのベルト幅方向における長さの中央部に配したことを特徴とする空気袋付きバンドの締結機構。
【請求項４】
請求項３に記載の空気袋付きバンドの締結機構であって、
前記巻き取り装置のケース内部に、前記ベルトの余長分を巻き取るローラと、該ローラを、ベルトを巻き取る方向に回転付勢する前記スプリングと、前記ロック機構とを収容し、
前記巻き取り装置のケース下面に設けた開口またはケース内部に収容された部材に設けた開口に、前記第２フックに設けた一対の係合爪を差し込み係合させることにより、前記第２フックを巻き取り装置のケースに連結すると共に、前記一対の係合爪と該係合爪の係合する前記開口の周縁との摺接部により、前記第２フックを回動自在に支持したことを特徴とする空気袋付きバンドの締結機構。
【請求項５】
請求項３に記載の空気袋付きバンドの締結機構であって、
前記ロック機構として、前記ローラに固定された歯車と、該歯車の歯に噛み合うことで歯車の回転を阻止する制止爪を有し前記巻き取り装置のケースに回動自在に取り付けられたロックレバーと、前記制止爪を前記歯車の歯から離間するように前記ロックレバーを回動付勢する保留バネと、前記第２フックを第１フックに係合させた際の第２フックの変位により前記ロックレバーを制止爪が歯車の歯に噛み合う位置に変位させる連動機構と、を設けたことを特徴とする空気袋付きバンドの締結機構。
【請求項６】
請求項３〜５のいずれかに記載の空気袋付きバンドの締結機構であって、
前記バンドの外周部に、前記空気袋よりも硬質の樹脂シート材よりなり前記空気袋の外周方向への膨らみを防止する樹脂カバーを設け、その樹脂カバーに前記第１フックを形成したことを特徴とする空気袋付きバンドの締結機構。
【請求項７】
身体のいずれかの部位にバンドを巻き付け、そのバンドに配した空気袋に加圧エアを導入したりその加圧エアを排出したりすることで身体にマッサージ作用を与えるエアマッサージ装置において、
前記バンドの締結機構として、請求項１〜６のいずれかに記載の空気袋付きバンドの締結機構を具備したことを特徴とするエアマッサージ装置。
【請求項８】
身体のいずれかの部位にカフ帯を巻き付け、そのカフ帯に配した空気袋に加圧エアを導入することで血圧測定を行う血圧計において、
前記カフ帯の締結機構として、請求項１〜６のいずれかに記載の空気袋付きバンドの締結機構を具備したことを特徴とする血圧計。
【発明の詳細な説明】
【技術分野】
【０００１】
本発明は、空気袋付きバンドの締結機構、それを含むエアマッサージ装置および血圧計に関するものである。
【背景技術】
【０００２】
例えば、エアマッサージ装置として、足や腕などの身体上のいずれかの部位に巻き付けるバンドに空気袋を配し、バンドを巻き付けた状態で空気袋に加圧エアを導入することで、加圧エアの力により身体組織に圧迫を加える空気袋付きバンドを使用したものがある。この種のエアマッサージ装置では、空気袋付きバンドを足や腕などに巻き付けた状態で締結するための手段として、広い面積で面係合する面ファスナを使用しているのが一般的である（特許文献１参照）。
【特許文献１】特開２０００−２３７３４４号公報
【発明の開示】
【発明が解決しようとする課題】
【０００３】
ところで、面ファスナは、最初に係合面と係合面を合わせたときに最適な状態に締結できればよいが、締め付けが緩かったりきつかったりした場合、締結のし直しを行うのが非常に面倒である。特にエアマッサージ装置の場合は加圧と除圧を繰り返し行うので、適正な締め付けを行っていないと、快適感を損なうという問題もあり、最適な締め付け状態を簡単に得られるようにすることが望まれる。
【０００４】
本発明は、上記事情を考慮し、最適な締め付け状態を簡単に得ることのできる空気袋付きバンドの締結機構、それを含むエアマッサージ装置および血圧計を提供することを目的とする。
【課題を解決するための手段】
【０００５】
請求項１の発明は、身体のいずれかの部位に巻き付けるバンドに空気袋を配し、前記バンドを巻き付けた状態で前記空気袋に加圧エアを導入することで、加圧エアの力により身体組織に圧迫を加える空気袋付きバンドの締結機構であって、前記バンドの長さ方向の一端側に、巻き径に応じて長さを調整するための調整ベルトを連設し、その調整ベルトの先端部に、該調整ベルトの余長分をスプリングの力で巻き取ると共に該スプリングの力に抗した調整ベルトの引き出しを可能にする巻き取り装置を設け、その巻き取り装置に、前記バンドの長さ方向の他端側に設けた被係止部に係合可能な係止部と、前記調整ベルトの引き出しを制止するロック機構とを設け、更に、前記被係止部と係止部のいずれか一方を、他方に追従して前記調整ベルトの幅方向に平行な基準線に対して傾斜する方向に回動可能に設けたことを特徴とする。
【０００６】
請求項２の発明は、請求項１に記載の空気袋付きバンドの締結機構であって、前記ロック機構は、前記被係止部に係止部を係合させた際にそれに連動して前記調整ベルトの引き出しを制止するものであることを特徴とする。
【０００７】
請求項３の発明は、請求項１または２に記載の空気袋付きバンドの締結機構であって、前記被係止部として、前記バンドの幅方向に長い第１フックを固定的に設けると共に、前記係止部として、前記第１フックに係合可能で前記ベルトの幅方向に長い第２フックを前記巻き取り装置のケースに回動可能に設け、前記第２フックの回動中心を、該第２フックのベルト幅方向における長さの中央部に配したことを特徴とする。
【０００８】
請求項４の発明は、請求項３に記載の空気袋付きバンドの締結機構であって、前記巻き取り装置のケース内部に、前記ベルトの余長分を巻き取るローラと、該ローラを、ベルトを巻き取る方向に回転付勢する前記スプリングと、前記ロック機構とを収容し、前記巻き取り装置のケース下面に設けた開口またはケース内部に収容された部材に設けた開口に、前記第２フックに設けた一対の係合爪を差し込み係合させることにより、前記第２フックを巻き取り装置のケースに連結すると共に、前記一対の係合爪と該係合爪の係合する前記開口の周縁との摺接部により、前記第２フックを回動自在に支持したことを特徴とする。
【０００９】
請求項５の発明は、請求項４に記の空気袋付きバンドの締結機構であって、前記ロック機構として、前記ローラに固定された歯車と、該歯車の歯に噛み合うことで歯車の回転を阻止する制止爪を有し前記巻き取り装置のケースに回動自在に取り付けられたロックレバーと、前記制止爪を前記歯車の歯から離間するように前記ロックレバーを回動付勢する保留バネと、前記第２フックを第１フックに係合させた際の第２フックの変位により前記ロックレバーを制止爪が歯車の歯に噛み合う位置に変位させる連動機構と、を設けたことを特徴とする。
【００１０】
請求項６の発明は、請求項３〜５のいずれかに記載の空気袋付きバンドの締結機構であって、前記バンドの外周部に、前記空気袋よりも硬質の樹脂シート材よりなり前記空気袋の外周方向への膨らみを防止する樹脂カバーを設け、その樹脂カバーに前記第１フックを形成したことを特徴とする。
【００１１】
請求項７の発明は、身体のいずれかの部位にバンドを巻き付け、そのバンドに配した空気袋に加圧エアを導入したりその加圧エアを排出したりすることで身体にマッサージ作用を与えるエアマッサージ装置において、前記バンドの締結機構として、請求項１〜５のいずれかに記載の空気袋付きバンドの締結機構を具備したことを特徴とする。
【００１２】
請求項８の発明は、身体のいずれかの部位にカフ帯を巻き付け、そのカフ帯に配した空気袋に加圧エアを導入することで血圧測定を行う血圧計において、前記カフ帯の締結機構として、請求項１〜５のいずれかに記載の空気袋付きバンドの締結機構を具備したことを特徴とする。
【発明の効果】
【００１３】
請求項１の発明によれば、空気袋付きバンドの一端側に、巻き径に応じて長さを調整するための調整ベルトを連設し、その調整ベルトの先端部にスプリング式の巻き取り装置を設けたので、巻き取り装置を持って引っ張るだけで、必要な長さの調整ベルトを自由に引き出すことができる。従って、巻き付け対象部位の径によらず、テンションのかかった状態で弛みなく、バンドを対象部位に巻き付けることができる。そして、バンドを巻き付けた状態で、バンドの他端側にある被係止部に巻き取り装置側の係止部を係合させ、同時にロック機構により調整ベルトのそれ以上の引き出しをロックすることで、バンドを適正に装着することができる。
【００１４】
よって、面ファスナのように広い面積で係合させるのと違い、慣れていない人にとっても、最適な締め付け状態を容易に得ることができ、着脱も容易にできる。また、面ファスナのように関係ない場所に無用にくっつくおそれも無くすことができるので、やさしく取り扱うことができるし、ストッキングの上からでも容易に装着することができる。また、ストッキングの上から装着した場合でも、面ファスナのように無用にストッキングにくっついたりしないので、いわゆるストッキングの「伝線」を防止することもできる。また、いったん装着した場合には、強固な締結状態を保つことができ、外れにくくすることができる。更に、面ファスナと違って、取り外し時の剥がれ音も発生しないようにすることができる。
【００１５】
また、本発明では、バンド側の被係止部と巻き取り装置側の係止部のいずれか一方を、他方に追従して回動可能に設けているので、バンド及びベルトの幅方向の一端側と他端側で巻き付け径に大きな差があって、それにより、例えば被係止部が係止部に対して傾斜した姿勢となっていても、被係止部と係止部を無理のない姿勢で係合させることができる。つまり、一方が他方に追従しながら回動するので、確実な係合状態を無理なく得ることができ、バンド及びベルトをしっかりと固定することができる。
【００１６】
特に調整ベルトは、巻き取り装置への巻き込み及び巻き取り装置からの引き出し操作の繰り返しに耐えるように柔軟性のある薄い布状部材で作ることになるが、被係止部と係止部が無理のない姿勢で係合することにより、ベルトの幅方向に巻き径の差があっても、ベルトの幅方向の張力差を緩和することができる。例えば、巻き径の大きい側には巻き径の小さい側よりも大きなストレスがかかるおそれがあるが、そのストレスの差を緩和することができる。従って、ストレスの差によってベルトが局部的に変形して、その結果、ベルトの巻き込みや引き出しに支障を来すようなことを未然に防ぐことができて、スムーズな操作を保証することができる。
【００１７】
また、本発明を特にエアマッサージ装置に適用した場合は、加圧と解放の繰り返しにより、バンドやベルトに加わる力の向きが種々変化する可能性があるが、被係止部と係止部が柔軟に姿勢を変えながら適正な係合状態を維持するので、その係合部分によって無用な力を吸収することができ、被係止部や係止部の劣化はもちろん、ベルトの劣化も防止することができる。
【００１８】
また、本発明では、使わないときには、調整ベルトを巻き取り装置で巻き取って収納しておけるので、調整ベルトが邪魔にならず、コンパクトな形態で保管することができる。
【００１９】
請求項２の発明によれば、バンドの他端側にある被係止部に巻き取り装置側の係止部を係合させることにより、調整ベルトのそれ以上の引き出しをロックすることができるので、調整ベルトの長さを簡単に固定することができる。
【００２０】
請求項３の発明によれば、バンドやベルトの幅方向に長いフックを被係止部及び係止部として設けており、巻き取り装置側のフック（第２フック）を回動可能に設けて、その回動中心をフックの長さ方向（バンドやベルトの幅方向）の中央部に配置しているので、バンドやベルトを幅方向の広い範囲にわたり確実に連結することができる。
【００２１】
請求項４の発明によれば、巻き取り装置のケース内部に、ベルトの余長分を巻き取るローラと、ローラを巻き取り方向に回転付勢するスプリングと、ロック機構とを収容しているので、巻き取り装置を、調整ベルトを引き出してフックを係合させる際の取っ手として扱いやすい。また、巻き取り装置側の第２フックを、巻き取り装置のケース下面に連結するための一対の係合爪によって回動自在に取り付けているので、特別な回動軸を別に設ける必要がなく、構成の簡略化が図れて組立も容易にできる。
【００２２】
請求項５の発明によれば、ロック機構を、歯車と、制止爪を有したロックレバーと、ロックレバーを回動付勢する保留バネと、第２フックの変位によりロックレバーを変位させる連動機構とで構成しているので、最小の部品点数で確実にベルトの引き出しを制止することができる。
【００２３】
請求項６の発明によれば、バンドの外周部に硬質の樹脂シートよりなる樹脂カバーを設け、その樹脂カバーにより空気袋の外周方向への膨らみを防止するので、少ない加圧エアの導入により効率よく身体組織に圧迫を加えることができる。また、その樹脂カバーにバンド側の第１フックを形成しているので、変形しにくいフックを簡単に成形することができる。
【００２４】
請求項７、８の発明によれば、請求項１〜６のいずれかの空気袋付きバンドの締結機構をエアマッサージ装置または血圧計に適用したので、上記の作用効果を最大限に発揮することができる。
【発明を実施するための最良の形態】
【００２５】
以下、本発明の実施形態を図面を参照しながら説明する。
図１〜図４は本発明を適用したエアマッサージ装置の実施形態の説明図で、図１はエアマッサージ装置の全体概要を示す斜視図、図２は図１の反対側から見たエアマッサージ装置の全体概要を示す斜視図、図３は例えば上から下に細くなっている使用者の下肢に対してエアマッサージ装置を装着した状態を示す斜視図、図４はそのときのフックの係止部分を正面から見た図である。また、図５〜図９は本エアマッサージ装置に使用している巻き取り装置の説明図、図１０は本エアマッサージ装置のバンド部分の概略断面図、図１１はエアマッサージ装置本体の構成を示すブロック図である。
【００２６】
図１〜図３に示すように、このエアマッサージ装置１０は、例えば使用者の下肢Ｍａにバンド１１を巻き付けて、そのバンド１１に配した空気袋４０に、エアマッサージ装置本体５０から加圧エアを導入したり、その加圧エアを排出したりすることで、筋肉に圧迫と解放を繰り返し与えて、マッサージ効果を得るものである。ここでは、下肢Ｍａにエアマッサージ装置１０を装着する場合を例にとって説明する。下肢Ｍａに装着する場合は、主にふくらはぎ部分の筋肉がマッサージの対象部位であるので、図２に示すように、下肢Ｍａの裏側からバンド１１を装着することになる。
【００２７】
エアマッサージ装置１０のバンド１１は、図１、図１０に示すように、芯材となる硬質で柔軟性を有する樹脂シート２０と、その内面側に配された偏平な空気袋（ブラダー）４０と、空気袋４０及び樹脂シート２０をくるむ布製の外袋１３とから構成されている。樹脂シート２０は、柔軟材料（例えばＥＶＡ）よりなる空気袋４０よりも硬質の樹脂のシート材よりなり、空気袋４０の外周方向への膨らみを防止する機能を果たす。樹脂シート２０、空気袋４０、外袋１３は、各部の必要な機能を阻害しないように、縫製や接着等の手段により一体化されている。
【００２８】
バンド１１の長さ方向の一端部の外周側には、エアマッサージ装置本体５０が取り付けられており、図１１に示すように、エアマッサージ装置本体５０の２つの接続口５６、５７は、バンド１１内部の空気袋４０の接続口４１、４２に接続されている。エアマッサージ装置本体５０は、図示しないバッテリと、空気袋４０に加圧エアを供給する加圧ポンプ５１と、空気袋４０のエアを排気する電気排気弁５２と、空気袋４０内のエア圧力を検出する圧力センサ５３と、主として圧力センサ５３の測定値に応じて加圧ポンプ５１や電磁排気弁５２などを制御してマッサージ動作を作り出すコントローラ５５と、コントローラ５５に繋がる図示しないスイッチやディスプレイなどを有している。
【００２９】
また、図１、図２に示すように、バンド１１の長さ方向の一端側には、巻き径に応じて長さを調整するための調整ベルト１２が連設されている。この調整ベルト１２は、伸縮性はないが柔軟性のある薄い帯状布よりなるものであり、施術可能な最も大きい施術部周長に合わせた所定長を有し、不使用時は、その先端に設けたスプリング式の巻き取り装置３０に大部分が巻き取られている。巻き取り装置３０は、長さ調節した調整ベルト１２の余長分をスプリングの力で巻き取ると共にそのスプリングの力に抗した調整ベルト１２の引き出しを可能にするものであり、調整ベルト１２を引き出すための取っ手を兼ねている。この巻き取り装置３０は、調整ベルト１２の余長分を貯留するリザーバーと呼ぶことができる
【００３０】
バンド１１と調整ベルト１２の係合手段として、バンド１１の他端側（エアマッサージ装置本体５０を取り付けた側と反対側）の外周面には、バンド１１の幅方向に長い第１フック（被係止部）２１が固定的に設けられ、巻き取り装置３０の下面には、バンド１１側の第１フック２１に係合可能な第２フック（係止部）３１が設けられている。バンド１１側のフック２１は、芯材としての樹脂シート２０に一体に形成されており、外袋１３のスリット（図示略）から外に露出している。
【００３１】
また、巻き取り装置３０には、バンド１１側の第１フック２１に巻き取り装置３０側の第２フック３１を係合させた際に、巻き取り装置３０からの調整ベルト１２の引き出しを制止するロック機構（後述）が設けられている。
【００３２】
また、本エアマッサージ装置１０における特徴的なこととして、巻き取り装置３０側のフック３１は、バンド１１側のフック２１に追従して回動できるように、巻き取り装置３０のケースに対して回動自在に取り付けられている。この場合の回動角度範囲は、基準線（ベルト１２の幅方向に平行な線）に対して±約１５度くらいに設定されている。
【００３３】
巻き取り装置３０側のフック３１は、バンド１１側のフック２１と同様に、調整ベルト１２の幅方向に長く形成されており、巻き取り装置３０のケース下面に回動可能に取り付けられ、そのフック３１の回動中心がフック３１の長さ方向の中央部に配されている。
【００３４】
次に、図５〜図８を参照して巻き取り装置３０の構成について詳細に説明する。巻き取り装置３０のケースは、半筒状の上ケース３２と、板状の下ケース３３とからなる。下ケース３３は、上ケース３２の下面開口を塞ぐように組み付けられ、その状態でネジ止めされている。上ケース３２と下ケース３３の合わせ部には、図８に示すように、ケースの一側縁に位置させて調整ベルト１２を引き出すための引出用スリット３０Ａが確保されている。
【００３５】
巻き取り装置３０のケース内部には、自身が回転することで調整ベルト１２の余長分を巻き取るパイプ状のローラ３４と、ローラ３４を調整ベルト１２を巻き取る方向に回転付勢する巻取スプリング３８と、バンド１１側のフック２１に巻き取り装置３０側のフック３１を係合させた際に調整ベルト１２の引き出しを制止するロック機構３０Ｂとが収容されている。
【００３６】
この場合のロック機構３０Ｂは、図５に示すように、ローラ３４の両端に固定された歯車３６Ａ、３６Ｂと、歯車３６Ａ、３６Ｂの歯３６ｃに噛み合うことで歯車３６Ａ、３６Ｂの回転を阻止する制止爪３７ｃを有し且つ巻き取り装置３０のケースに回動自在に取り付けられたロックレバー３７と、制止爪３７ｃを歯車３６Ａ、３６Ｂの歯３６ｃから離間するようにロックレバー３７を回動付勢する保留バネ３９と、バンド１１側の第１フック２１に巻き取り装置３０側の第２フック３１を係合させた際の第２フック３１の変位によりロックレバー３７を、制止爪３７ｃが歯車３６Ａ、３６Ｂの歯３６ｃに噛み合う位置に変位させる連動機構３０Ｃ（図８参照）と、から構成されている。
【００３７】
より具体的に述べると、図５に示すように、ローラ３４の両端には外周に歯３６ｃを有する歯車３６Ａ、３６Ｂが固定されている。固定の仕方としては、パイプ状のローラ３４の端部を歯車３６Ａ、３６Ｂの各内孔３６ｂに挿入し、同時に内孔３６ｂの内周の突起３６ｂを、ローラ３４の端部に形成したスリット（図示略）に嵌めて回転止めする構成を採用している。
【００３８】
ローラ３４の内部には細径の固定シャフト３５が挿入されており、固定シャフト３５の両端３５ａ、３５ｂが、ローラ３４の両端に固定した歯車３６Ａ、３６Ｂの端面孔３６ｅを貫通することにより、固定シャフト３５の周囲にローラ３４が回転自在に支持されている。固定シャフト３５の両端３５ａ、３５ｂは、歯車３６Ａ、３６Ｂの端面孔３６ｅから外に突出しており、組立時に、上ケース３２の溝３２ａに挿入した上で、下ケース３３の突片３３ｄにより押さえ付けることで、巻き取り装置３０のケースに回り止め固定されている。固定シャフト３５の片端３５ｂには、シャフト３５自体の回り止めに使用するＤカット部が形成されている。
【００３９】
ローラ３４の内周と固定シャフト３５の外周との隙間には、ローラ３４を回転付勢するコイル状の巻取スプリング３８が挿入されている。この巻取スプリング３８は、一端３８ａが歯車３６Ａに係止され、他端３８ｂが固定シャフト３５の端部３５ｂのＤカット部に係止されることで、ローラ３４に、調整ベルト１２を巻き取る方向の回転付勢力を付与している。
【００４０】
また、巻き取り装置３０のケース内には、ローラ３４と平行にロックレバー３７が配設されている。ロックレバー３７は、図７に示すように、中央底面に扇形を２つ合わせたような蝶形の開口３７ｂを有するベース部３７ａと、ベース部３７ａの長手方向の両端に突設された凸軸３７ｄと、凸軸３７ｄの内側に歯車３６Ａ、３６Ｂに対応して形成された制止爪３７ｃと、を有するもので、組立時に凸軸３７ｄを上ケース３２の溝３２ｂに挿入し、その凸軸３７ｄを下ケース３３の突片３３ｄで押さえることで、巻き取り装置３０のケースに回動自在に取り付けられている。
【００４１】
巻き取り装置３０の下ケース３３には、ロックレバー３７の蝶形の開口３７ｂに対応した開口３３ｂが形成されており、その開口３３を通して、ロックレバー３７の開口３７ｂの周縁に、フック３１のベース上面に設けた一対の係合爪３１ｂが差し込み係合されている。そしてそれにより、フック３１が巻き取り装置３０のケースに連結され、同時に、図７に示すように、互いに離間した一対の係合爪３１ｂがロックレバー３７の開口３７ｂの円弧状周縁に摺動自在となっていることにより、その摺動部によって、フック３１が巻き取り装置３０のケースに対して回動自在に支持されている。
【００４２】
フック３１は、図８に示すように、ベース部分の下側にＬ字状に延びた引っ掛け部３１ａを有すると共に、ベース部分の上面に前記一対の係合爪３１ｂ、３１ｂ間に位置させて突起３１ｃを有している。この突起３１ｃは、ロックレバー３７の蝶形の開口３３の中央の狭い部分に挿入されており（図７参照）、フック３１が図８中の矢印Ｆ１方向に力を受けた際（つまり、バンド１１側のフック２１に係合して反力を受けた際）に、ロックレバー３７を同じ方向に押し移動する。なお、突起３１ｃ以外に係合爪３１ｂも、その位置によっては、ロックレバー３７の開口３７ｂの周縁を押し移動する役目を果たす。
【００４３】
ロックレバー３７の回転中心である凸軸３７ｄは、制止爪３７ｃと、フック３１の突起３１ｃによる押圧作用点（ロックレバー３７の開口３７ｂの周縁）との中間に位置しており、ロックレバー３７は保留バネ３９により、制止爪３７ｃが歯車３６Ａ（３６Ｂ）の歯３６ｃから離れる方向（矢印Ｒ１方向）に向けて回転付勢されている。
【００４４】
従って、フック３１が矢印Ｆ方向に変位して、ロックレバー３７が保留バネ３９に抗する力を受けた際に、ロックレバー３７が矢印Ｒ２方向に回動して、制止爪３７ｃの先端が歯車３６Ａ（３６Ｂ）の歯３６ｃに噛み合い、歯車３６Ａ（３６Ｂ）の回転、つまりローラ３４の回転を阻止して、調整ベルト１２の引き出しを制止するようになっている。なお、制止爪３７ｃの先端には、歯車３６Ａ、３６Ｂが巻き取り方向に回動しようとした場合にだけ、ロックを外して回動を許す一方向クラッチ機能を果たすための傾斜３７ｃｋが設けられている。
【００４５】
ここでは、突起３１ｂとロックレバー３７の開口３７ｂの組み合わせが、フック３１の変位によりロックレバー３７を、制止爪３７ｃが歯車３６Ａ、３６Ｂの歯３６ｃに噛み合う位置に変位させる連動機構３０Ｃを構成している。
【００４６】
次に作用を説明する。
このエアマッサージ装置１０の使用前の状態において、調整バンド１２は、巻き取り装置３０のケースの内部にほとんど全部が収容されている（図１では説明の便宜上、少しだけ調整ベルト１２が出ている状態を示してある）。従って、コンパクトな形態であり、保管するのに便利である。
【００４７】
このエアマッサージ装置１０を使用する場合は、バンド１１を身体の施術部位に巻き付けて締結する。例えば、このエアマッサージ装置１０で、使用者の下肢Ｍａをマッサージする場合は、図２に示すように、ふくらはぎの裏側からバンド１１を巻き付ける。
【００４８】
その際、バンド１１から巻き取り装置３０を手で引っ張って、巻き取り装置３０の内部から調整ベルト１２を引き出しながら、空気袋４０のある方を内側にしてバンド１１をふくらはぎにあてがい、下肢Ｍａに巻き付ける。そして、巻き取り装置３０のケース下面に存在するフック３１を、バンド１１側の他端側の外周面に設けたフック２１に係合させる。そうすると、巻き取り装置３０からの調整ベルト１２の引き出しが自動的にロックされ、調整ベルト１２の有効な長さが固定されて、バンド１１が下肢Ｍａに適正に巻き付けられる。
【００４９】
この際の動作について詳述すると、図９に示すように、巻き取り装置３０側のフック３１をバンド１１側のフック２１に係合させると、バンド１１及びベルト１２の張力により、図８中の矢印Ｆ１方向への力がフック３１に作用することになり、その力で、フック３１によりロックレバー３７の開口３７ｂの縁部が矢印Ｆ１方向へ押されることにより、ロックレバー３７が保留バネ３９に抗して図８中の矢印Ｒ２方向に回動し、制止爪３７ｃが歯車３６Ａ、３６Ｂの歯３６ｃに噛み合って、歯車３６Ａ、３６Ｂの回転、つまりローラ３４の回転を阻止して、調整ベルト１２の引き出しが制止される。
【００５０】
なお、この段階でも、フック３１を強制的に元の位置（矢印Ｆ１と反対方向）に戻し、保留バネ３９の力を利用して、制止爪３７ｃを歯車３６Ａ、３６Ｂの歯３６から外すことにより、調整ベルト１２を微調整のために引き出したり巻き取ったりすることは可能である。また、調整ベルト１２を巻き取り装置３０内に押し込むことにより、調整ベルト１２を更にきつく締め付けることも可能である。
【００５１】
また、巻き取り装置３０側のフック３１をバンド１１側のフック３１に係合させた際に、巻き取り装置３０側のフック３１がバンド１１側のフック３１に追従して回動するので、適正な姿勢で両フック３１、２１を係合させることができる。即ち、図３に示すように、バンド１１及びベルト１２の幅方向の一端側（下肢Ｍａの上側）と他端側（下側）で巻き付け径に大きな差があって、それにより、図４に示すように、バンド１１側のフック２１が巻き取り装置３０に対して傾斜した姿勢となっていても、巻き取り装置３０側のフック３１がバンド１１側のフック２１に追従して回動することにより、両フック３１、２１を無理のない姿勢で確実に係合させることができ、バンド１１及びベルト１２をしっかりと固定することができる。
【００５２】
特に調整ベルト１２は、巻き取り・引き出し操作の繰り返しに耐えるように柔軟性のある薄い布状部材で作ることになるが、両フック３１、２１が無理のない姿勢で係合することにより、調整ベルト１２の幅方向に巻き径の差があっても、調整ベルト１２の幅方向の張力差を緩和することができる。つまり、巻き径の大きい側に巻き径の小さい側よりも大きなストレスがかかるおそれがあるが、そのストレスの差を緩和することができる。従って、ストレスの差によって調整ベルト１２が局部的に変形してしまい、その結果、調整ベルト１２の巻き込みや引き出しに支障を来すようなことを未然に防ぐことができ、スムーズな操作を保証することができる。
【００５３】
また、エアマッサージ装置１０の場合、加圧と解放の繰り返しにより、バンド１１や調整ベルト１２に加わる力の向きが種々変化する可能性があるが、フック３１が柔軟に姿勢を変えながら適正な係合状態を維持するので、その係合部分によって無用な力を吸収することができ、フック３１、２１の劣化はもちろん、ベルト１２等の劣化も防止することができる。
【００５４】
そして、適正にバンド１１を巻き付けたら、エアマッサージ装置本体５０のスイッチによりマッサージ動作をスタートさせる。動作がスタートすると、空気袋４０に加圧エアが送り込まれて、加圧エアの力でバンド１１を巻き付けた部分の筋肉が圧迫される。また、加圧エアが排気されることで除圧が行われ、加圧と除圧が繰り返し行われることで、筋肉が揉みほぐされて、血行が促進され、筋肉痛や疲労感が取り除かれる。
【００５５】
この場合、バンド１１の外周部に硬質の樹脂シート２０を配置し、その樹脂カバー２０によって空気袋４０の外周方向への膨らみを防止するようにしているので、少ない加圧エアの導入によって、効率よく身体組織に圧迫を加えることができる。
【００５６】
マッサージが終わったら、巻き取り装置３０側のフック３１をバンド１１側のフック２１から外して、バンド１１を取り外す。そうすると、巻き取り装置３０の働きにより、自動的に調整ベルト１２が巻き取られて収納される。従って、調整ベルト１２が邪魔になることがなく、コンパクトな形態で保管することができる。
【００５７】
以上説明したように、実施形態のエアマッサージ装置１０によれば、空気袋付きバンド１１の一端側に、巻き径に応じて長さを調整するための調整ベルト１２を連設し、その調整ベルト１２の先端部にスプリング式の巻き取り装置３０を設けたので、巻き取り装置３０を手で持って引っ張るだけで、必要な長さだけの調整ベルト１２を自由に引き出すことができる。従って、巻き付け対象部位の径によらず、テンションのかかった状態で弛みなく、バンド１１を対象部位に巻き付けることができる。そして、バンド１１を巻き付けた状態で、バンド１１の他端側にあるフック２１に巻き取り装置３０側のフック３１を係合させることにより、調整ベルト１２のそれ以上の引き出しをロックすることができるので、調整ベルト１２の長さを簡単に固定することができる。
【００５８】
よって、面ファスナのように広い面積で係合させるのと違い、慣れていない人にとっても、最適な締め付け状態を容易に得ることができ、着脱も容易にできる。また、面ファスナのように関係ない場所に無用にくっつくおそれも無くすことができるので、やさしく取り扱うことができるし、ストッキングの上からでも容易に装着することができる。また、ストッキングの上から装着した場合でも、面ファスナのように無用にストッキングにくっついたりしないので、いわゆるストッキングの「伝線」を防止することもできる。また、いったん装着した場合には、強固な締結状態を保つことができ、外れにくい。更に、面ファスナと違って、取り外し時の剥がれ音も発生しないので、静かな環境で使用する場合にも周囲に無用な気兼ねを払う必要がない。
【００５９】
特に、長さのあるフック２１、３１を被係止部及び係止部として設け、巻き取り装置３０側のフック（第２フック）３１を回動可能に設けて、その回動中心をフック３１の長さ方向（調整ベルト１２の幅方向）の中央部に配置しているので、バンド１１やベルト１２を幅方向の広い範囲にわたり確実に連結することができる。
【００６０】
また、巻き取り装置３０のケースの内部に、調整ベルト１２の余長分を巻き取るローラ３４と、ローラ３４を巻き取り方向に回転付勢する巻取スプリング３８と、ロック機構３０Ｂとを収容しており、余計な部品がケース外に出ていないので、巻き取り装置３０を取っ手として扱いやすい。また、第２フック３１を巻き取り装置３０のケース下面に連結するための一対の係合爪３１ｂ、３１ｂで、第２フック３１を回動自在に支持しているので、特別な回動軸を別に設ける必要がなく、構成の簡略化が図れる上、組立も容易にできる。
【００６１】
また、ロック機構３０Ｂを、歯車３６Ａ、３６Ｂと、制止爪３７ｃを有したロックレバー３７と、ロックレバー３７を回動付勢する保留バネ３９と、第２フック３１の変位によりロックレバー３７を変位させる連動機構３０Ｃとで構成しているので、最小の部品点数で確実に調整ベルト１２の引き出しを制止することができ、構成の簡略化が図れる。
【００６２】
また、バンド１１の芯材として設けた樹脂カバー２０に第１フック２１を形成しているので、変形しにくいフックを簡単に成形することができる。
【００６３】
なお、上記実施形態では、ロック機構３０Ｂを、フック３１、２１の係合に連動させるように構成したが、ロック機構を単独で動作するように構成してもよい。例えば、ボタンを押すとロック解除して、調整ベルト１２の巻き取り・引き出しが自由にでき、ボタンを離すとロックがかかるような構成を採用することもできる。
【００６４】
また、上記実施形態では、バンド１１側のフック２１を固定的に設け、巻き取り装置３０側のフック３１を回動可能に設けた場合を示したが、それとは逆に、バンド１１側のフック２１を回動可能に設け、巻き取り装置３０側のフック３１を固定的に設けても、一方のフック３１に他方のフック２１を追従させることができる。
【００６５】
また、上記実施形態では、使用者の下肢Ｍａに装着する場合を例示したが、下肢以外に上肢、上腕や肘と手首の間などの他の部位に装着してもよい。
【００６６】
また、上記実施形態では、本発明の空気袋付きバンドの締結機構を、エアマッサージ装置に適用した場合を説明したが、血圧計に対しても適用できる。即ち、血圧計は、身体のいずれかの部位にカフ帯を巻き付け、そのカフ帯に配した空気袋に加圧エアを導入することで血圧測定を行うものであるので、そのカフ帯の締結機構として、本発明の空気袋付きバンドの締結機構を利用することができる。
【図面の簡単な説明】
【００６７】
【図１】本発明を適用したエアマッサージ装置の実施形態の説明図で、エアマッサージ装置の全体概要を示す斜視図である。
【図２】図１の反対側から見たエアマッサージ装置の全体概要を示す斜視図である。
【図３】上から下に細くなっている使用者の下肢に対して実施形態のエアマッサージ装置を装着した状態を示す斜視図である。
【図４】上から下に細くなった下肢に実施形態のエアマッサージ装置を装着したときのフックの係止部分を正面から見た図である。
【図５】実施形態のエアマッサージ装置に使用している巻き取り装置の分解斜視図である。
【図６】（ａ）は同巻き取り装置の下面図、（ｂ）は同側面図である。
【図７】図６（ｂ）のＶＩＩ−ＶＩＩ矢視断面図である。
【図８】図６（ｂ）のＶＩＩＩ−ＶＩＩＩ矢視断面図である。
【図９】（ａ）は前記巻き取り装置の下面のフックをバンド側のフックに係合させたときの状態を示す側面図、（ｂ）は同断面図である。
【図１０】実施形態のエアマッサージ装置のバンド部分の概略断面図である。
【図１１】実施形態のエアマッサージ装置本体の構成を示すブロック図である。
【符号の説明】
【００６８】
Ｍａ  下肢（巻き付け対象部位）
１０  エアマッサージ装置
１１  バンド
１２  調整ベルト
１３  外袋
２０  樹脂シート
２１  第１フック（被係止部）
３０  巻き取り装置
３０Ｂ  ロック機構
３０Ｃ  連動機構
３１  第２フック（係止部）
３１ｂ  係合爪
３２  上ケース
３３  下ケース
３４  ローラ
３６Ａ，３６Ｂ  歯車
３６ｃ  歯
３７  ロックレバー
３７ｂ  開口
３７ｃ  制止爪
３８  巻取スプリング
３９  保留バネ
４０  空気袋
５０  エアマッサージ装置本体
【図１】
0004708931.tif 000002
【図２】
0004708931.tif 000003
【図３】
0004708931.tif 000004
【図４】
0004708931.tif 000005
【図５】
0004708931.tif 000006
【図６】
0004708931.tif 000007
【図７】
0004708931.tif 000008
【図８】
0004708931.tif 000009
【図９】
0004708931.tif 000010
【図１０】
0004708931.tif 000011
【図１１】
0004708931.tif 000012